(57)【特許請求の範囲】
【請求項１】
被調理物の調理を行う被加熱調理器具と、前記被加熱調理器具の下方に配した加熱体と、前記被加熱調理器具と前記加熱体の側方および下方を覆う遮熱板と、前記遮熱板の外方を覆い本体外郭を構成するボデーと、前記ボデーの一側面に設けた保護ケースと、前記保護ケース内に設けた電源接続部と、前記電源接続部と着脱自在に接続する通電制御具の接続部と、前記電源接続部に接続した保持板と、前記保持板と前記加熱体間に直列に結線した電気絶縁物に包含され前記保持板で保持された温度ヒューズと、前記保持板の前面に設けたカバーとを備えてなる電気調理器。
【請求項２】
カバーは保持板と温度ヒューズとを覆う構成とした請求項１記載の電気調理器。
【請求項３】
カバーは温度ヒューズに対応する部分に凸部を有する構成とした請求項２記載の電気調理器。
【請求項４】
カバーは温度ヒューズが遮熱板からの輻射を受けれる構成とした請求項１記載の電気調理器。
【請求項５】
電気絶縁物は、それぞれの電源接続部に接続した保持板間に配した２．５ｍｍを超える幅の円環部と前記円環部の外円周に設けた凸部とを有する構成とした請求項１ないし４のいずれか１項に記載の電気調理器。
【発明の詳細な説明】
【０００１】
【発明の属する技術分野】
本発明は、電源接続部と通電制御具との接触部の発熱による通電制御具の破損を防止した電気調理器に関する。
【０００２】
【従来の技術】
この種の従来の電気調理器の断面図を図８に示す。図８において、１は被加熱調理器具であるプレート、２はプレート１を載置して加熱するための加熱体であるヒーター。３はヒーターを載置すると共にプレート１およびヒーター２を覆う遮熱板、４は商用電源からヒーターへの接続を行う接続部５とプレート１の温度調節とを行う温度制御部６を有する通電制御具である。７はヒーター２へ接続する電源接続部８を有する保護ケースである。また、９は遮熱板を覆い保護ケースを保持するボデーである。
【０００３】
以上の構成において、電源接続部８に通電制御具４の接続部５を接続し、ヒーター２に通電することによりプレート１が加熱される。このときプレート１に当接した通電制御具４の温度調節部６によりヒーター２の通電制御を行い、プレート１の温度を調節する。
【０００４】
【発明が解決しようとする課題】
しかしながら、前記従来の構成では、電源接続部８と通電制御具４の接続部５との接続部分に、調理物の汁などが付着した場合など、まれではあるが、接続部分の接触抵抗が上昇し、発熱し、通電制御具４を破損させてしまうという問題を有していた。
【０００５】
本発明は、前記従来の課題を解決するもので、電源接続部と通電制御具の接続部との接続部分の異常な発熱による通電制御具の破損を防止した電気調理器を提供することを目的とする。
【０００６】
【課題を解決するための手段】
前記従来の課題を解決するために、本発明の電気調理器は、保護ケースの電源接続部に導電性の保持板を電気的に接続し、この保持板によって温度ヒューズを保持し、かつ、保持板の前面にカバーを設ける構成とした。
【０００７】
これによって、電源接続部と通電制御具の接続部との接続部分の接触抵抗が上昇し異常な熱が発生した場合、保持板を介してこの熱を温度ヒューズへ熱伝導させ、温度ヒューズを切断させることにより通電を停止する。また、カバーにより溢水に対する保持板の絶縁を確保する。
【０００８】
【発明の実施の形態】
請求項１に記載の発明は、被調理物の調理を行う被加熱調理器具と、前記被加熱調理器具の下方に配した加熱体と、前記被加熱調理器具と前記加熱体の側方および下方を覆う遮熱板と、前記遮熱板の外方を覆い本体外郭を構成するボデーと、前記ボデーの一側面に設けた保護ケースと、前記保護ケース内に設けた電源接続部と、前記電源接続部と着脱自在に接続する通電制御具の接続部と、前記電源接続部に接続した保持板と、前記保持板と前記加熱体間に直列に結線した電気絶縁物に包含され前記保持板で保持された温度ヒューズと、前記保持板の前面に設けたカバーとを備える構成とした。この構成で電源接続部と通電制御具との接続部で発熱したとき温度ヒューズへ熱伝導させ、温度ヒューズの通電切断動作により通電を停止し、通電制御具の破損を防止することができる。また、カバーで充電部である保持板の防水効果を確保できる。
【０００９】
請求項２に記載の発明は、特に、請求項１記載のカバーで保持板と温度ヒューズとを覆う構成とすることにより、請求項１の作用効果に加えて、加熱体からの保持板および温度ヒューズに対する輻射熱等の熱影響を防ぎ、通常使用時の温度ヒューズの温度上昇を抑え、誤検知を防止することができるとともに、充電部である保持板および温度ヒューズへの防水効果を確保することができる。
【００１０】
請求項３に記載の発明は、特に、請求項２記載のカバーの温度ヒューズ側に温度ヒューズに対応する部分に凸部を設けることにより、温度ヒューズを保持板に、より密着せしめ、温度ヒューズの受感を向上させることができる。
【００１１】
請求項４に記載の発明は、特に、請求項１記載のカバーは温度ヒューズが遮熱板からの輻射を受けれるようにする構成とすることにより、被加熱調理器具の温度調節機能が損なわれた場合等におこる異常な加熱体の発熱を、遮熱板からの輻射熱として温度ヒューズが受熱し易くし、温度ヒューズの感度を高め、温度ヒューズの温度検知および通電切断動作により通電を停止し、機器の破損を防止することができる。
【００１２】
請求項５に記載の発明は、特に、請求項１記載の電気絶縁物を、保持板間に２．５ｍｍを超える隙間を確保する円環部と、前記円環部の外円周部に設けた凸部を有する形状とすることにより、水が保持板間に付着しても凸部の水切り作用により、保持板間の絶縁を確保することができる。
【００１３】
【実施例】
以下本発明の実施例について、図面を参照しながら説明する。
【００１４】
（実施例１）
図１は、本発明の第１の実施例における電気調理器の断面図を示す。図２（ａ）は、同電気調理器のカバー取付け部の側面図であり、図２（ｂ）は、図２（ａ）においてカバーを取外したときの側面図である。また、図３（ａ）は、同電気調理器のカバー取付け部の上面図であり、図３（ｂ）は、図３（ｂ）においてカバーを取外したときの上面図である。
【００１５】
図１、図２、および図３において、１１は調理物を載せて調理を行うプレートや鍋などの被加熱調理器具である。本実施例ではプレートを用いた場合について説明する。１２はプレート１１を載置して加熱する加熱体であるヒーター、１３はヒーター１２を支持しかつプレート１とヒーター１２とを覆う遮熱板である。本実施例では遮熱板の材料として金属を用いている。１４は商用電源からヒーター１２への接続部１５と温度調節を行う温度調節部１６とを有する通電制御具、１７は通電制御具４とヒーター１２への電源接続をおこなう保護ケース、１８は保護ケース１７に設けられた電源接続部、１９は電源接続部１８に取付けられた導電性の弾性物質よりなる保持板である。本実施例では保持板の材料としてバネ性の燐青銅を用いている。２０は保持板１９によってクリンプ保持された温度ヒューズ、２１は遮熱板１３を覆い、保護ケース１７を載置するボデーである。２２は温度ヒューズ２０を包む電気絶縁物。２３は保持板および温度ヒューズを覆うポリエステル樹脂またはフェノール樹脂等の合成樹脂からなる電気絶縁性のカバーである。
【００１６】
以上のように構成された電気調理器について、以下その動作および作用を説明する。調理物を載せて調理を行うプレート１１は、遮熱板１３により覆われ支持されたヒーター１２の上に載置して加熱される。ヒーター１２は通電制御具１４の接続部１５と電源接続部１８とを接続することにより通電される。また、通電はプレート１１下部に当接した温度調節部１６によりプレート１１の温度を感知し、通電制御される。
【００１７】
ヒーター加熱時に接続部１５と電源接続部１８との接触が不完全のため接触抵抗が増大し発熱が生じた場合、この熱は電源接続部１８に取付けられた保持板１９に熱伝導し、保持板１９により保持された温度ヒューズ２０に熱が伝えられ、温度ヒューズ２０の検知温度に達すると、温度ヒューズ２０内のペレットが溶け、電流が切断される。
【００１８】
以下、カバーの作用について述べる。本実施例では、カバー２３で保持板１９および温度ヒューズ２０を覆うように設けられている。この場合、遮熱板１３からの輻射が直接温度ヒューズ２０を照射するのを防いでいる。さらに、調理物の汁などが浸入するなどのいわゆる溢水に対し、充電部である保持板１９と温度ヒューズ２０をカバー２３で覆うことで、保持板１９近傍に汁などがかからない構成となる。
【００１９】
さらに、電気絶縁物であるカバー２３で充電部である保持板１９を覆い、金属製の遮熱板１３との絶縁をおこなう。
【００２０】
以上のように、本実施例においては、保護ケース１７の電源接続部１８に保持板１９を接続し、保持板１９によって温度ヒューズ２０を保持し、カバー２３で保持板１９および温度ヒューズ２０を覆う構成とすることにより、前記保持板１９は、電源接続部１８と接続部１５との接触抵抗が上昇した場合発生する熱を、温度ヒューズ２０へ熱伝導させ、温度ヒューズ２０の温度検知および通電切断動作により、通電を停止しするので、通電制御具１４の破損を防止することができる。
【００２１】
また、カバー２３で保持板および温度ヒューズ２０を覆うことにより、加熱体１２からの保持板１９および温度ヒューズ２０に対する輻射熱を防ぎ、通常使用時の温度ヒューズ２０の温度上昇を抑え、誤検知を防止することができるとともに、充電部である保持板１９および温度ヒューズ２０への汁などの付着を防ぐことができる。
【００２２】
またさらに、電気絶縁物であるカバー２３で充電部である保持板１９を覆うことにより、金属よりなる遮熱板１３との絶縁を確保することができる。
【００２３】
（実施例２）
図４は本発明の第２の実施例における電気調理器の要部断面図である。
【００２４】
図４において、実施例１の構成と異なるところは、カバー２３の温度ヒューズ２０側に温度ヒューズ２０に当接する凸部２４を設けた点である。
【００２５】
以上のように構成された電気調理器について、以下その動作、作用を説明する。
【００２６】
まず、通電制御具１４の接続部１５と保護ケース１７に設けた電源接続部１８の接触抵抗が上昇し、発熱がおこった場合、この熱は電源接続部１８に取付けられた保持板１９に熱伝導し、保持板１９により保持された温度ヒューズ２０に熱が伝えられ、温度ヒューズ２０の検知温度に達すると、温度ヒューズ２０内のペレットが溶け、電流が切断される。
【００２７】
ここで、カバー２３に温度ヒューズに対応する側に凸部２４を設けることにより、温度ヒューズ２０を保持板１９により密着させ、保持板から温度ヒューズへの熱の伝わりがよくなる。
【００２８】
以上のように、本実施例においては、カバー２３に温度ヒューズ側に温度ヒューズに接する凸部２４を設けることにより、温度ヒューズ２０を保持板１９により密着させることで、電源接続部１８と接続部１５との接触抵抗が大きく熱が発生した場合、熱を保持板１９から温度ヒューズ２０によりよく熱伝導させ、温度ヒューズ２０の受感を向上させ、温度ヒューズ２０の温度検知および通電切断動作により通電を停止することにより、通電制御具１４の破損を防止することができる。
【００２９】
（実施例３）
図５は本発明の第３の実施例における電気調理器の要部断面図であり、図６は、同電気調理器のカバー取付け部の側面図である。
【００３０】
図５および図６において、実施例１の構成と異なる点は、実施例１のカバー２３の一部を切断し温度ヒューズ２０が遮熱板１３からの輻射熱を受けるように構成したカバー２５を設けた点である。
【００３１】
この構成の電気調理器について、以下その動作、作用を説明する。このカバー２５ではヒーター１２側に温度ヒューズ２０前部が露出しているため、プレート１１の温度調節機能が損なわれた場合におこる異常なヒーターの発熱を、遮熱板１３からの輻射熱として、温度ヒューズ２０が受熱し、温度ヒューズの温度検知および通電切断動作により通電を停止しする。
【００３２】
また、カバー２５は温度ヒューズ２０前部のみを露出させ、他の保持板１９および温度ヒューズ２０の上部を覆っているため、調理物の汁などが浸入するなどのいわゆる溢水に対し、充電部である保持板１９と温度ヒューズ２０へ汁などがかかりにくい構成となる。
【００３３】
以上のように、本実施例において、カバー２５のヒーター１２側の温度ヒューズ２０前部を露出させることにより、プレート１１の温度調節機能が損なわれた場合におこる異常な発熱を、遮熱板１３からの輻射熱として、温度ヒューズ２０が受熱し易くし、温度ヒューズ２０の感度を高め、温度ヒューズの温度検知および通電切断動作により通電を停止しすることにより、機器の破損を防止することができる。
【００３４】
また、カバー２５は温度ヒューズ２０前部のみを露出させ、他の保持板および温度ヒューズの上部を覆っているため、調理物の汁などが浸入に対し、充電部である保持板１９と温度ヒューズ２０に汁などがかかりずらくすることができる。
【００３５】
なお、ヒーター1２が正常に動作している限り遮熱板1３からの輻射熱はほとんど一定であるため、このことを考慮して設計することにより、電源接続部1８と接続部1５とのっ接触不良の検知に対する誤動作にならないようにすることができる。
【００３６】
なお、本実施例ではカバー２５は温度ヒューズに対応する下方部分をすべて削除してある場合を示したが、これに限定されるものではなく温度ヒューズに対応する部分のみを削除した、例えば矩形状の開口としてもよい。
【００３７】
また、温度ヒューズの露出のさせかたは全部でも、部分的であってもよい。これは全体の構成により必要に応じて実験的に求めればよい。
【００３８】
（実施例４）
図７は、本発明の第４の実施例における電気調理器のカバー取付部のカバーを取外した状態を示す図である。
【００３９】
図７において、実施例１の構成と異なる点は、電気絶縁物２２に、それぞれの電源接続部に接続された保持板間に、２．５ｍｍを超える隙間を確保する円環部２６と前記円環外円周部に凸部２７を設けた点である。本実施例では凸部２７の形状は、先端が根元よりも細い、先細り形状とする。
【００４０】
以上のように構成された電気調理器について、以下その動作、作用を説明する。
【００４１】
まず、異極充電部である電源接続部に接続された保持板１９間に、電気絶縁物２２に２．５ｍｍを超える隙間を確保する円環部２６を設けて、保持板１９間の距離を保ち、また、調理物の汁などの浸入時に、凸部２７の頂点に対し液体が分かれて流れる水切り効果により、保持板１９間を液体が橋渡しすることがない。
【００４２】
以上のように、本実施例においては、異極充電部である保持板１９間に、電気絶縁物２２に２．５ｍｍを超える隙間を確保する円環部２６を設けることにより、調理物の汁などが浸入するなどの溢水に対し、保持板間の絶縁を確保することができる。
【００４３】
また電気絶縁物２２円環外円周部に凸部２７を設けることにより、調理物の汁などの浸入に対し、液体のきれをよくし、保持板間の絶縁を確保することができる。
【００４４】
【発明の効果】
以上のように、請求項１〜５に記載の発明によれば、電源接続部と通電制御具との接触部の発熱による通電制御具の破損を防止できるとともに、溢水に対する絶縁を確保することができる。
【図面の簡単な説明】
【図１】本発明の実施例１における電気調理器の断面図
【図２】（ａ）同電気調理器のカバー取付け部の側面図
（ｂ）図２（ａ）においてカバーを取外したときの側面図
【図３】（ａ）同電気調理器のカバー取付け部の上面図
（ｂ）図３（ａ）においてカバーを取外したときの側面図
【図４】本発明の実施例２における電気調理器の要部断面図
【図５】本発明の実施例３における電気調理器の要部断面図
【図６】同電気調理器のカバー取付け部の側面図
【図７】本発明の実施例４における電気調理器のカバー取付け部のカバーを取外した状態を示す図
【図８】従来の電気調理器の断面図
【符号の説明】
１１  プレート（被加熱調理具）
１２  ヒーター（加熱体）
１３  遮熱板
１４  通電制御具
１５  接続部
１７  保護ケース
１８  電源接続部
１９  保持板
２０  温度ヒューズ
２１  ボデー
２２  電気絶縁物
２３、２５  カバー
２４、２７  凸部
２６  円環部
【図１】
0003675325.tif 000002
【図２】
0003675325.tif 000003
【図３】
0003675325.tif 000004
【図４】
0003675325.tif 000005
【図５】
0003675325.tif 000006
【図６】
0003675325.tif 000007
【図７】
0003675325.tif 000008
【図８】
0003675325.tif 000009